【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
通信デバイスによって、第１トラフィックフローのパケットおよび第２トラフィックフローのパケットを、第１無線ベアラを介して第２デバイスに送信することを含む通信を行うことと、
前記第２トラフィックフローのさらなるパケットが、第２無線ベアラを介して前記第２デバイスに送信されるものであることを検出することと、
前記検出に基づいて、パケットデータユニットを前記第１無線ベアラを介して前記第２デバイスに送信することと、
を含み、ここで前記パケットデータユニットは、前記第２トラフィックフローの前記第２無線ベアラへの切替えの表示を含み、前記第１トラフィックフローのパケットは引き続き前記第１無線ベアラを介して送信される、方法。
【請求項２】
前記第１デバイスと前記第２デバイスとの間に設定されている前記第２無線ベアラに基づいて、前記第２トラフィックフローの前記さらなるパケットを、前記第２無線ベアラを介して前記第２デバイスに送信すること、
を含む、請求項１に記載の方法。
【請求項３】
前記検出は、前記第２トラフィックフローの前記さらなるパケットがより高い優先度を必要とするアプリケーションに関連付けられていること、を検出することを含む、請求項１に記載の方法。
【請求項４】
前記パケットデータユニットの受領の確認を前記第２デバイスから受信することであって、前記受領の確認は、前記パケットデータユニットの順序通りの受信の確認であり得、前記第２トラフィックフローの前記さらなるパケットの前記送信は前記確認に基づく、請求項１、２、または３のいずれか一項に記載の方法。
【請求項５】
前記パケットデータユニットがシーケンス番号を含む、請求項１、２、または３のいずれか一項に記載の方法。
【請求項６】
前記シーケンス番号が、前記無線ベアラに対し前記第２デバイスへの順番通りのパケットの配送をもたらす、請求項１、２、または３のいずれか一項に記載の方法。
【請求項７】
前記パケットデータユニットが、前記第２デバイスに、前記第２トラフィックフローに属する前記パケットを前記第２デバイスの上位層に配送させる、請求項１に記載の方法。
【請求項８】
前記上位層がアプリケーション層である、請求項７に記載の方法。
【請求項９】
前記第２トラフィックフローを前記第２デバイスの前記第２無線ベアラに送信する前に、前記パケットが前記第１デバイスにバッファリングされる、請求項１に記載の方法。
【請求項１０】
処理手段及び記憶手段を備える装置であって、前記記憶手段はプログラム命令を格納し、前記プログラム命令は、前記処理手段に実行されると、前記装置に、請求項１から９のいずれかに記載の方法を遂行させるように構成される、装置。
【請求項１１】
通信デバイスによって、第１トラフィックフローのパケットおよび第２トラフィックフローのパケットを、第１無線ベアラを介して第２デバイスに送信することを含む通信を行う手段と、
前記第２トラフィックフローのさらなるパケットが第２無線ベアラを介して前記第２デバイスに送信されるものであることを検出する手段と、
前記検出に基づいて、パケットデータユニットを前記第１無線ベアラを介して前記第２デバイスに送信する手段と、
を備え、ここで前記パケットデータユニットは前記第２トラフィックフローの前記第２無線ベアラへの切替えの表示を含み、前記第１トラフィックフローのパケットは引き続き前記第１無線ベアラを介して送信される、装置。
【請求項１２】
前記第１デバイスと前記第２デバイスとの間に設定されている前記第２無線ベアラに基づいて、前記第２トラフィックフローの前記さらなるパケットを、前記第２無線ベアラを介して前記第２デバイスに送信する手段を備える、請求項１１に記載の装置。
【請求項１３】
前記検出する手段が、前記第２トラフィックフローの前記さらなるパケットがより高い優先度を必要とするアプリケーションに関連付けられていることを検出する手段を備える、請求項１１に記載の装置。
【請求項１４】
前記パケットデータユニットの受領の確認を前記第２デバイスから受信する手段を備え、前記受領の確認は、前記パケットデータユニットの順序通りの受信の確認であり得、前記第２トラフィックフローの前記さらなるパケットの前記送信は前記確認に基づく、請求項１１から１３のいずれか一項に記載の装置。
【請求項１５】
前記パケットデータユニットがシーケンス番号を含む、請求項１１から１３のいずれか一項に記載の装置。
【請求項１６】
前記シーケンス番号が、前記無線ベアラに対し前記第２デバイスへの順番通りのパケットの配送をもたらす、請求項１１から１３のいずれか一項に記載の装置。
【請求項１７】
前記パケットデータユニットが、前記第２デバイスに、前記第２トラフィックフローに属する前記パケットを前記第２デバイスの上位層に配送させる、請求項１１に記載の装置。
【請求項１８】
前記上位層がアプリケーション層である、請求項１７に記載の装置。
【請求項１９】
前記第２トラフィックフローを前記第２デバイスの前記第２無線ベアラに送信する前に、前記パケットが前記第１デバイスにバッファされる、請求項１１に記載の装置。
【請求項２０】
第１トラフィックフローのパケットおよび第２トラフィックフローのパケットを含む通信を、第１無線ベアラを介して第１デバイスから受信することと、
前記第２トラフィックフローのさらなるパケットが第２無線ベアラを介して受信される予定であることの表示を含むパケットデータユニットを前記第１デバイスから受信することであって、前記第１トラフィックフローは引き続き前記第１無線ベアラを介して受信される、前記受信することと、
第２デバイスと前記第１デバイスとの間に前記第２無線ベアラを設定することと、
前記設定に基づいて、前記第２無線ベアラを介して前記第２トラフィックフローの前記さらなるパケットを受信することと、
を含む方法。
【請求項２１】
前記第２無線ベアラを設定する命令を受信することを含む、請求項２０に記載の方法。
【請求項２２】
前記パケットデータユニットの受領の確認を前記第１デバイスに送信することを更に含み、
前記受領の確認は、前記パケットデータユニットの順序通りの受信の確認であり得、前記第２トラフィックフローの前記さらなるパケットは、前記確認に基づいて受信される、
請求項２０に記載の方法。
【請求項２３】
前記パケットデータユニットがシーケンス番号を含む、請求項２０から２２のいずれか一項に記載の方法。
【請求項２４】
前記シーケンス番号が、前記無線ベアラに対し順番通りのパケットの配送ができるようにする、請求項２０から２２のいずれか一項に記載の方法。
【請求項２５】
前記パケットデータユニットが、前記第２デバイスが前記第２トラフィックフローに属する前記パケットを通信デバイスの上位層に配送することを可能にする、請求項２０から２２のいずれか一項に記載の方法。
【請求項２６】
前記上位層がアプリケーション層である、請求項２０から２２のいずれか一項に記載の方法。
【請求項２７】
前記パケットデータユニットを受信する前に、前記第２トラフィックフローが前記第２デバイスにバッファされ、前記第２トラフィックフローに属する前記パケットの前記上位層への配送は、前記パケットデータユニットを受信した後でだけ行われることを含む、請求項２０から２２のいずれか一項に記載の方法。
【請求項２８】
処理手段及び記憶手段を備える装置であって、前記記憶手段はプログラム命令を格納し、前記プログラム命令は、前記処理手段に実行されると、前記装置に、請求項２０から２７のいずれかに記載の方法を遂行させるように構成される、装置。
【請求項２９】
装置であって、
第１トラフィックフローのパケットおよび第２トラフィックフローのパケットを含む通信を第１無線ベアラを介して第１デバイスから受信する手段と、
前記第２トラフィックフローのさらなるパケットが第２無線ベアラを介して受信される予定であることの表示を含むパケットデータユニットを前記第１デバイスから受信する手段と、
を備え、前記第１トラフィックフローは引き続き前記第１無線ベアラを介して受信され、更に、
前記第２デバイスと前記第１デバイスとの間に前記第２無線ベアラを設定する手段と、
前記設定に基づいて、前記第２無線ベアラを介して前記第２トラフィックフローの前記さらなるパケットを受信する手段と、
を備える、装置。
【請求項３０】
前記第２無線ベアラを設定する命令を受信する手段を備える、請求項２９に記載の装置。
【請求項３１】
前記パケットデータユニットの受領の確認を前記第１デバイスに送信する手段を備え、
前記受領の確認は、前記パケットデータユニットの順序通りの受信の確認であり得、前記第２トラフィックフローの前記さらなるパケットは、前記確認に基づいて受信される、
請求項２９に記載の装置。
【請求項３２】
前記パケットデータユニットがシーケンス番号を含む、請求項２９から３１のいずれか一項に記載の装置。
【請求項３３】
前記シーケンス番号が、前記無線ベアラに対し順番通りのパケットの配送ができるようにする、請求項２９から３１のいずれか一項に記載の装置。
【請求項３４】
前記パケットデータユニットが、前記第２デバイスが前記第２トラフィックフローに属する前記パケットを通信デバイスの上位層に配送することを可能にする、請求項２９から３１のいずれか一項に記載の装置。
【請求項３５】
前記上位層がアプリケーション層である、請求項２９から３１のいずれか一項に記載の装置。
【請求項３６】
前記パケットデータユニットを受信する前に、前記第２トラフィックフローを前記第２デバイスにバッファリングする手段であって、前記第２トラフィックフローに属する前記パケットの前記上位層への配送は、前記パケットデータユニットを受信した後でだけ行われる、前記バッファリングする手段、
を含む、請求項２９から３１のいずれか一項に記載の装置。
【請求項３７】
請求項１０〜１９のいずれか一項に記載の装置、および請求項２８〜３６のいずれか一項に記載の装置を含む通信システム。
【請求項３８】
装置の少なくとも一つのプロセッサによって実行されると、前記装置に、請求項１〜９、２０〜２７のいずれか一項に記載の方法を遂行させるように構成されるプログラム命令を含むコンピュータプログラム。